(57)【要約】【課題】  遊技盤に保留装置を配設すると共に、或る状況の変化を契機として保留装置の保留を解除させて保留球を全て一斉に放出できるようにした遊技機を提供する。【解決手段】  パチンコ機１は、遊技盤７に打ち出された遊技球Ｂａのうちの例えば５個を保留可能な保留部５０を有し、保留部５０による保留を解除することで、保留した遊技球Ｂａを入賞口４８に向けて一斉に放出する保留装置２５を備える。また、保留部５０に例えば５個の遊技球Ｂａが溜まるまでは遊技球Ｂａの総重量に抗して保留部５０の放出口５０ｂを閉止し、保留部５０に例えば５個の遊技球Ｂａが溜まった時点で遊技球総重量に準じて放出口５０ｂを開放させるソレノイド制御手段４０、放出規制弁５５、接触検知センサ６１及び係止解除ソレノイド６５を保留制御手段として備える。【選択図】      図４
2006187463.tif 000002
【特許請求の範囲】
【請求項１】
遊技盤に、大当たり抽選実行の契機となり得る入賞が行われる始動入賞口と、大当たり抽選の結果を表示する図柄表示装置と、大当たり抽選に寄与しない入賞が行われる入賞口とを備える遊技機であって、
前記遊技盤に打ち出された遊技球のうちの所定数を保留可能な保留部を有し、該保留部による保留を解除することで、保留した遊技球を前記入賞口に向けて一斉に放出してなる保留装置と、
前記保留部に前記所定数の遊技球が溜まるまでは該遊技球の総重量に抗して前記保留部の放出口を閉止し、前記保留部に前記所定数の遊技球が溜まった時点で遊技球総重量に準じて前記放出口を開放させる保留制御手段とを備える、
ことを特徴とする遊技機。
【請求項２】
前記保留制御手段は、前記放出口を開放又は閉止する放出規制部材と、前記保留部に前記所定数の遊技球が溜まった際の遊技球総重量に準じて前記放出規制部材を解放し得る解放手段とを備えてなる、
ことを特徴とする請求項１に記載の遊技機。
【請求項３】
前記放出規制部材は、前記保留部内に突出した状態にて該保留部内の遊技球の自重落下を規制する規制部と、該規制部から前記保留部の外方に延び且つ重りを有する延設部とを備え、
前記解放手段は、前記規制部で支える遊技球総重量が前記所定数分に至った時点で前記延設部が微動したことを検知する検知センサと、該検知センサにて前記延設部の微動が検知された時点で該延設部の係止を解除する係止解除手段とを備えてなる、
ことを特徴とする請求項２に記載の遊技機。
【請求項４】
前記放出規制部材は、前記保留部内に突出した状態にて該保留部内の遊技球の自重落下を規制する規制部と、該規制部から前記保留部の外方に延在する磁性体からなる延設部とを備え、
前記解放手段は、前記規制部で支える遊技球総重量が前記所定数分に至るまで前記規制部を保持し得る磁石からなる、
ことを特徴とする請求項２に記載の遊技機。
【請求項５】
前記放出規制部材は、前記保留部内に突出した状態にて該保留部内の遊技球の自重落下を規制する規制部と、該規制部から前記保留部の外方に延びる延設部とを備え、
前記解放手段は、前記規制部で支える遊技球総重量が前記所定数分に至った時点での前記延設部の移動力に打ち負けて当該延設部の移動を許容し前記保留部の放出口を開放する弾性保持部材を備えてなる、
ことを特徴とする請求項２に記載の遊技機。
【請求項６】
前記弾性保持部材は引張りバネである、
ことを特徴とする請求項５に記載の遊技機。
【請求項７】
前記保留部が、前記遊技盤の表面から裏面側に後退した状態で配置され、且つ内部に保留した遊技球を視認可能に透過する透明部材からなり、
前記保留部の前側に、該保留部を視認可能に透過する透明板が配置されてなる、
ことを特徴とする請求項１ないし６のいずれか１項に記載の遊技機。
【発明の詳細な説明】
【技術分野】
【０００１】
本発明は、パチンコ機等の遊技機に関し、詳しくは、入賞口に連続的に入賞させることにより遊技性に多彩な変化をもたらすようにした遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたもの（所謂フィーバー機：以下、「第１種特別電動役物」と言う）が知られている（例えば、特許文献１参照）。
【０００３】
このようなパチンコ機では、一般入賞口に入賞した際にそれに対応した個数の遊技球が払い出され、また始動チャッカー（始動入賞口）に入賞した際にはこれに基づいて大当たり抽選が行われると共に所定数の遊技球が払い出され、当該抽選の結果に応じて、遊技盤の中央部分に設けられた液晶等からなる図柄表示装置の画面上で所定の演出表示が行われる。大当たりの発生時には、アタッカーと呼ばれる大入賞口が開放し、入球に対応して多量の遊技球が払い出される状態となる。
【０００４】
一方、遊技域に特定入賞口と始動口と変動入賞装置を設け、特定入賞口への遊技球の入賞をもとに所定の条件が成立したときに、特別遊技の権利を発生させ、当該権利発生中に始動口に入賞した時点で変動入賞装置を遊技者に有益となる開放状態にして、入賞率の高い特別遊技を行わせるパチンコ機（所謂権利モノ：以下、「第３種特別電動役物」と言う）も存在する。
【０００５】
上記第３種特別電動役物では、始動口の入賞率が低い場合、特別遊技の権利が発生したとしても特別遊技への移行が難しく、特別遊技に移行するまでに持ち球を無くしたり、特別遊技を行っても再び特別遊技に移行するまでに獲得球が減少したりする虞があった。また逆に、始動口の入賞率が高くなってしまった場合には、特別遊技をそれほどの回数行わないうちに特定入賞口に再び入賞し、権利が折角発生したにも拘わらず特別遊技を充分に楽しまないうちにその権利が消滅する虞もあった。しかし、入賞率は始動口の釘等の調整具合で決まるため、状況に応じて釘調整を行う必要があるが、当該釘調整は熟練を要するものであり、的確な調整は困難とされていた。
【０００６】
そこで、遊技域から導入口に進入した遊技球を保留し且つ当該保留球を開閉手段を介して球解放口から遊技域に放出する保留装置を始動口の直上方に配置し、保留装置の保留球が開閉手段を経て球解放口から遊技域に放出された際、直下方の始動口に高確率で入賞できるように構成したパチンコ機が案出されている（例えば、特許文献２参照）。
【０００７】
【特許文献１】特開２００３−２３６２１０号公報
【特許文献２】特開平０５−００３９４５号公報
【発明の開示】
【発明が解決しようとする課題】
【０００８】
ところで、上記特許文献２に記載されるパチンコ機によると、特別遊技の権利発生時に始動口に対し、保留装置に保留した保留球を、開閉手段を介してタイミング良く入賞することができる。従って、始動口への入賞球を徒に増加させることなく、特別遊技を効率良く繰り返し行う可能性が高まるのであるが、当該パチンコ機の遊技の性質上、保留装置に保留した遊技球を連続的に入賞させることはできず、当該始動口の電動チューリップが開放した瞬間に遊技球を１個ずつ落下させて入賞させるのみであった。
【０００９】
従って、保留装置に折角複数の遊技球を保留しているにも拘わらず、上記のように１個ずつの入賞のため、賞球時の迫力に欠ける面があることは否めず、遊技者に与える爽快感にやや不満が残っていた。
【００１０】
そこで本発明は、遊技盤に保留装置を配設すると共に、或る状況の変化を契機として保留装置の保留を解除させることで、保留球を全て一斉に放出できるように構成し、もって上述した課題を解決した遊技機を提供することを目的とするものである。
【課題を解決するための手段】
【００１１】
請求項１に係る本発明は（例えば図１ないし図１１参照）、遊技盤（７）に、大当たり抽選実行の契機となり得る入賞が行われる始動入賞口（１６）と、大当たり抽選の結果を表示する図柄表示装置（４７）と、大当たり抽選に寄与しない入賞が行われる入賞口（４８）とを備える遊技機（１）であって、
前記遊技盤（７）に打ち出された遊技球（Ｂａ）のうちの所定数（例えば５個）を保留可能な保留部（５０）を有し、該保留部（５０）による保留を解除することで、保留した遊技球（Ｂａ）を前記入賞口（４８）に向けて一斉に放出してなる保留装置（２５）と、
前記保留部（５０）に前記所定数（例えば５個）の遊技球（Ｂａ）が溜まるまでは該遊技球（Ｂａ）の総重量に抗して前記保留部（５０）の放出口（５０ｂ）を閉止し、前記保留部（５０）に前記所定数（例えば５個）の遊技球（Ｂａ）が溜まった時点で遊技球総重量に準じて前記放出口（５０ｂ）を開放させる保留制御手段（４０，５５，６１，６５；５５，６３；５５，ＳＰ）とを備える、
ことを特徴とする遊技機（１）にある。
【００１２】
請求項２に係る本発明は（例えば図１ないし図５、及び図８ないし図１１参照）、前記保留制御手段（４０，５５，６１，６５；５５，６３；５５，ＳＰ）が、前記放出口（５０ｂ）を開放又は閉止する放出規制部材（５５）と、前記保留部（５０）に前記所定数（例えば５個）の遊技球（Ｂａ）が溜まった際の遊技球総重量に準じて前記放出規制部材（５５）を解放し得る解放手段（４０，６１，６５；６３；ＳＰ）とを備えてなる、
ことを特徴とする請求項１に記載の遊技機（１）にある。
【００１３】
請求項３に係る本発明は（例えば図４及び図５参照）、前記放出規制部材（５５）が、前記保留部（５０）内に突出した状態にて該保留部（５０）内の遊技球（Ｂａ）の自重落下を規制する規制部（５５ｂ）と、該規制部（５５ｂ）から前記保留部（５０）の外方に延び且つ重り（６４）を有する延設部（５５ｃ）とを備え、
前記解放手段は、前記規制部（５５ｂ）で支える遊技球総重量が前記所定数分（例えば５個分）に至った時点で前記延設部（５５ｃ）が微動したことを検知する検知センサ（６１）と、該検知センサ（６１）にて前記延設部（５５ｃ）の微動が検知された時点で該延設部（５５ｃ）の係止を解除する係止解除手段（４０，６５）とを備えてなる、
ことを特徴とする請求項２に記載の遊技機（１）にある。
【００１４】
請求項４に係る本発明は（例えば図８及び図９参照）、前記放出規制部材（５５）が、前記保留部（５０）内に突出した状態にて該保留部（５０）内の遊技球（Ｂａ）の自重落下を規制する規制部（５５ｂ）と、該規制部（５５ｂ）から前記保留部（５０）の外方に延在する磁性体からなる延設部（５５ｃ）とを備え、
前記解放手段は、前記規制部（５５ｂ）で支える遊技球総重量が前記所定数分（例えば５個分）に至るまで前記規制部（５５ｂ）を保持し得る磁石（６３）からなる、
ことを特徴とする請求項２に記載の遊技機（１）にある。
【００１５】
請求項５に係る本発明は（例えば図１０及び図１１参照）、前記放出規制部材（５５）が、前記保留部（５０）内に突出した状態にて該保留部（５０）内の遊技球（Ｂａ）の自重落下を規制する規制部（５５ｂ）と、該規制部（５５ｂ）から前記保留部（５０）の外方に延びる延設部（５５ｃ）とを備え、
前記解放手段は、前記規制部（５５ｂ）で支える遊技球総重量が前記所定数分（例えば５個分）に至った時点での前記延設部（５５ｃ）の移動力に打ち負けて当該延設部（５５ｃ）の移動を許容し前記保留部（５０）の放出口（５０ｂ）を開放する弾性保持部材（ＳＰ）を備えてなる、
ことを特徴とする請求項２に記載の遊技機（１）にある。
【００１６】
請求項６に係る本発明は（例えば図１０及び図１１参照）、前記弾性保持部材が引張りバネ（ＳＰ）である、
ことを特徴とする請求項５に記載の遊技機（１）にある。
【００１７】
請求項７に係る本発明は（例えば図１ないし図３参照）、前記保留部（５０）が、前記遊技盤（７）の表面から裏面側に後退した状態で配置され、且つ内部に保留した遊技球（Ｂａ）を視認可能に透過する透明部材からなり、
前記保留部（５０）の前側に、該保留部（５０）を視認可能に透過する透明板（４６）が配置されてなる、
ことを特徴とする請求項１ないし６のいずれか１項に記載の遊技機（１）にある。
【００１８】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１９】
請求項１に係る本発明によると、保留制御手段が保留部に所定数の遊技球が溜まった時点で遊技球総重量に準じて放出口を開放させるので、遊技中、保留部に所定数の遊技球が溜まった時点でこれら遊技球の総重量に準じて保留を自動的に解除して、保留球を入賞口に向け一斉に放出して入賞させ、これにより、所定数分に対応する賞球を、爽快感をもって一気に得ることができる。
【００２０】
請求項２に係る本発明によると、保留制御手段が、放出口を開放又は閉止する放出規制部材と、保留部に所定数の遊技球が溜まった際の遊技球総重量に準じて放出規制部材を解放し得る解放手段とを備えるので、保留部内に所定数の遊技球が溜まった時点で自動的に全保留球を入賞口に対して一斉に入賞させる機能を、簡単な構成によって得ることができる。
【００２１】
請求項３に係る本発明によると、解放手段が、検知センサにて延設部の微動を検知した点で該延設部の係止を解除する係止解除手段を備えるので、保留部内に所定数の遊技球が溜まった時点で、自動的に且つ確実に全保留球を入賞口に対して一斉に入賞させる機能を、簡単な構成によって得ることができる。
【００２２】
請求項４に係る本発明によると、解放手段が、規制部で支える遊技球総重量が所定数分に至るまで規制部を保持し得る磁石からなるので、保留部内に所定数の遊技球が溜まった時点で、自動的に且つ確実に全保留球を入賞口に対して一斉に入賞させる機能を、簡単な構成によって得ることができる。
【００２３】
請求項５に係る本発明によると、解放手段が、規制部で支える遊技球総重量が所定数分に至った時点での延設部の移動力に打ち負けて当該延設部の移動を許容し保留部の放出口を開放する弾性保持部材を備えるので、保留部内に所定数の遊技球が溜まった時点で、自動的に且つ確実に全保留球を入賞口に対して一斉に入賞させる機能を、簡単な構成によって得ることができる。
【００２４】
請求項６に係る本発明によると、解放手段の弾性保持部材が引張りバネからなるので、自動的に且つ確実に全保留球を入賞口に対して一斉に入賞させる機能を有する構成を廉価に実現できると共に、コンパクト化やコストダウンも期待することができる。
【００２５】
請求項７に係る本発明によると、保留部が、遊技盤の表面から裏面側に後退した状態で配置され、且つ内部に保留した遊技球を視認可能に透過する透明部材からなり、保留部の前側に、該保留部を視認可能に透過する透明板が配置されるので、遊技中、遊技者は透明板を通して、内部を透過させている保留部内の遊技球を視認しつつ、保留部内に所定数の遊技球が溜まった時点で一斉に放出されて入賞する遊技球を見ながら爽快感を得ることができる。これにより、遊技上の興趣が大幅に向上する。
【発明を実施するための最良の形態】
【００２６】
以下、本発明に係る遊技機の実施形態として、遊技場等に設置されるパチンコ機を図１ないし図１１に沿って説明する。
【００２７】
なお、図１は本発明の実施形態におけるパチンコ機の外部構造を示す正面図、図２は本パチンコ機から遊技盤を単体で分離した状態で示す正面図、図３は遊技盤に備えた保留装置を拡大して示す正面図、図４は第１実施形態において遊技盤に埋め込まれた形の保留装置を示す側面断面図、図５は遊技球放出状態の保留装置を示す側面断面図、図６は本パチンコ機の制御系を示すブロック図、図７は本パチンコ機による作動を説明するためのフローチャートである。また図８は、本発明の第２実施形態において遊技盤に埋め込まれた形の保留装置を示す側面断面図、図９は遊技球放出状態の保留装置を示す側面断面図であり、図１０は、本発明の第３実施形態において遊技盤に埋め込まれた形の保留装置を示す側面断面図、図１１は遊技球放出状態の保留装置を示す側面断面図である。なお、後述する遊技盤の遊技領域には多数の障害釘や複数の風車等が植設されているが、図１及び図２においてそれらは便宜上図示を省略している。また図２において、図１に示すガイドレール６２は便宜上図示を省略している。
【００２８】
本パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー（大入賞口）１７に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２９】
＜第１実施形態＞
図１に示すように、パチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置１０が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００３０】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００３１】
また、前扉３における上皿１３の下方には下皿１５が配置されており、該下皿１５の左部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。
【００３２】
なお、図１中の符号６２は、発射ハンドル９の操作で発射された遊技球を遊技盤７の遊技領域７ａに導くガイドレールを示し、符号２２はアウト口を示している。また、本パチンコ機１には、遊技中に遊技領域３ａにて入賞することなく落下してアウト口２２に入り込んだ遊技球をパチンコ機背面側に導くアウト球通路（図示せず）が設けられている。
【００３３】
遊技盤７の遊技領域７ａには、図１及び図２に示すように、中央部分に図柄表示装置４７が配設されており、該図柄表示装置４７の上部左右及び下部左右には、大当たり抽選に寄与しない一般の入賞が行われる入賞口２７，２８，２９，４８が配設されている。図柄表示装置４７の下方には、始動チャッカー（始動入賞口）１６と、アタッカー１７とが順次配設されている。始動チャッカー１６は、後述の第１抽選手段３３による大当たり抽選実行の契機となり得る入賞が行われる役物であり、アタッカー１７は、大当たり発生時に開放され、遊技盤７の遊技領域７ａに打ち出されて転動落下する遊技球Ｂａを入賞させる役物である。アタッカー１７は、大当たり発生中、１回の開放で１０個の入球を完了した時点で閉じ、当該開閉動作を１５回繰り返すように構成されている。なお、これらの入球数並びに開閉動作の回数は、１０個や１５回に限定されることはなく、必要に応じて適宜設定され得るものである。
【００３４】
図１における図柄表示装置４７の右方、即ち入賞口４８の上部には、遊技盤７に打ち出された遊技球Ｂａのうちの所定数（本実施形態では５個）を一旦保留した後、これら遊技球Ｂａを全て入賞口４８に一斉に放出して入賞させるように構成された保留装置２５が配設されている。
【００３５】
保留装置２５は、図２ないし図４に示すように、遊技球Ｂａを受け入れる遊技球導入部５２を最上部に有しており、該遊技球導入部５２の前部には、遊技盤７に露出した形で遊技球導入部５２及び保留部５０に連通する開口部５７（図１０参照）と、開口部５７を開閉し得るようにヒンジ５３ａを介して枢着された蓋体５３とが配設されている。
【００３６】
保留装置２５は、遊技球導入部５２の内部傾斜面５２ａを介して開口部５７に連通する上記保留部５０と、この保留部５０に遊技球Ｂａが既に５個保留されている状態で開口部５７から入球した遊技球Ｂａを遊技盤７背面側に排出する排出口５１と、保留部５０内方で開閉動作するように回動支点５５ａを介して枢支された放出規制弁（放出規制部材）５５とを備えている。
【００３７】
保留部５０は、遊技盤７の表面（つまり盤面）から裏面側に後退した状態にて、最大で５個の遊技球Ｂａを保留し得るように上記放出規制弁５５によって下部側を仕切られるようになっており、進入した遊技球Ｂａを、若干量の隙間をあけるだけで内部空間５０ａに安定して収容し得るような内径（例えば１２〜１３ｍｍ）を有する円筒状に構成されている。また、遊技球導入部５２の前側上部には、蓋体５３が閉塞位置（図１１参照）にあるときその旨の検知信号を主基板３０（図６参照）に出力する蓋体検知センサ５８（図１１参照）が配設されている。
【００３８】
放出規制弁５５は、保留部５０の放出口５０ｂ内に突出した状態で該保留部５０内の遊技球Ｂａの自重落下を規制する規制部５５ｂと、該規制部５５ｂから保留部５０の外方に延びる延設部５５ｃと、これら規制部５５ｂと延設部５５ｃとの間に位置する回動支点５５ａとから構成される。この放出規制弁５５は、保留部５０に所定数（本実施形態では５個）の遊技球Ｂａが溜まった時点で遊技球総重量に準じて放出口５０ｂを開放させ、溜まっている全遊技球Ｂａを一斉に放出するように構成される。
【００３９】
すなわち、図４及び図５に示すように、保留部５０における放出案内路５４の背面側（図４、図５の右側）には設置部６０が配設されており、該設置部６０における延設部５５ｃとの対向位置には、該延設部５５ｃとの接触を検知する接触検知センサ６１が固定配置されている。また、設置部６０の上面には、図４の突出位置で延設部５５ｃを係止し、図５の退避位置で延設部５５ｃの係止を解除する係止解除ソレノイド６５が固定配置されている。この係止解除ソレノイド６５は、後述するソレノイド制御手段４０の制御で進退動作させられる略クランク形状のプランジャ６６を備えている。このプランジャ６６は、駆動信号を受けない状態（非通電状態）で突出し、駆動信号を受けた状態（通電状態）で退避するように構成され、上方側に屈曲して延びる先端部分の下面がＲ状に面取りして形成されて、設置部６０側に回動した延設部５５ｃへの突出時に、延設部５５ｃ上面の重り６４にスムーズに係合しこれを確実に係止できるように構成される。
【００４０】
延設部５５ｃの上面には、上記重り６４が固定されている。この重り６４は、保留部５０内に遊技球Ｂａが４個まで溜まった状態にあっては、当該４個までの総重量に抗して延設部５５ｃを設置部６０側に回動させて該延設部５５ｃを接触検知センサ６１に接触させる。そして重り６４は、保留部５０内に遊技球Ｂａが５個溜まった時点で、当該５個の総重量に打ち負けて、延設部５５ｃを図４の反時計回り方向に回動させるが、この際、重り６４上には、図４に示すようにプランジャ６６の先端部が係合しているので、延設部５５ｃの背面が接触検知センサ６１から僅かに離間した状態で、図４に示すように保持される。この状態において、接触検知センサ６１は、延設部５５ｃの離反を検知し、その検知信号をソレノイド制御手段４０に出力する。
【００４１】
以上の構成により、保留部５０では、放出規制弁５５の図４に示す閉塞状態にて最大で５個の遊技球Ｂａを一旦保留した後、係止解除ソレノイド６５のプランジャ６６が後退して延設部５５ｃを解放すると、放出規制弁５５が遊技球Ｂａの自重で押下されて開放動作（図５参照）し、これら遊技球Ｂａの全てを入賞口４８に向けて一斉に放出させるように機能する。
【００４２】
また、保留部５０は、内部に保留した遊技球Ｂａを視認可能に透過する透明部材からなり、その前側には、当該保留部５０を視認可能に透過する透明板４６（図１ないし図３参照）が配置されている。透明部材や透明板４６の材料として、例えばガラス材、アクリル系樹脂、ポリカーボネート系樹脂を挙げることができる。
【００４３】
なお、上記透明部材や透明板４６の透明状態は、保留部５０内の遊技球Ｂａ或いは透明板４６裏面の保留部５０を完全に透過した状態で視認し得ることのみを意味する概念ではなく、遊技球Ｂａの存在等が分かる程度の所謂半透明の状態をも含む概念である。また、本実施の形態では、保留装置２５によって一旦保留できる最大個数を５個として説明するが、保留可能な球数はこれに限定されるものではなく、例えば４個以下、或いは６個以上として適宜設定することが可能なものである。
【００４４】
また保留装置２５は、図２及び図３に示すように、保留部５０の下方に備えた放出規制弁５５に対向する位置から前方に屈曲して透明板４６の表面に突出した後、下方に屈曲して入賞口４８上部の障害釘５６間の空隙５６ａに対向する開口５４ａを備えた放出案内路５４を具備している。開口５４ａは、障害釘５６の上部側から例えば１２〜１３ｍｍの距離をあけて位置している。
【００４５】
次に、本実施形態におけるパチンコ機１の制御系を図６に沿って説明する。すなわち、本制御系は、主基板３０と、この主基板３０に接続されたサブ基板４２とを備えている。主基板３０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００４６】
主基板３０は、入賞判定手段３１、入賞信号出力手段３２、第１抽選手段３３、第２抽選手段３４、遊技制御手段３５、保留手段３６、作動制御手段３７、作動判定手段３８、作動決定手段３９、及びソレノイド制御手段４０を備えている。また主基板３０には、蓋体検知センサ５８、接触検知センサ６１、係止解除ソレノイド６５、始動チャッカー開閉ソレノイド４５、及びアタッカー開閉ソレノイド４１が接続されている。
【００４７】
入賞判定手段３１は、発射ハンドル９の操作で作動する発射装置（図示せず）によって遊技領域７ａに打ち出された遊技球が始動チャッカー１６や入賞口２７，２８，２９の何れかに入賞したとき、当該入賞があった旨を判定する。また入賞判定手段３１は、入賞口４８への入賞時にも当該入賞があった旨を判定する。
【００４８】
入賞信号出力手段３２は、入賞判定手段３１によって入賞が判定されたとき、対応する始動チャッカー１６や入賞口２７，２８，２９，４８への入賞があった旨の入賞信号を出力する。
【００４９】
第１抽選手段３３は、入賞信号出力手段３２からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００５０】
第２抽選手段３４は、第１抽選手段３３での大当たり抽選で確変当たりに当選した場合、不図示の演出用メモリに格納された演出乱数値に基づく抽選で、変動の結果、確変当たりに対応する「１１１」、「３３３」や「７７７」等の図柄が大当たり有効ライン上で最終的に揃う旨の変動パターンを決定し、その旨の変動パターンコマンドを出力する。なお、上記「大当たり有効ライン」は、大当たりを得るため図柄が一列に並ぶべき位置（ライン）を意味する。第２抽選手段３４はまた、第１抽選手段３３での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、この変動パターンコマンドを出力する。第２抽選手段３４はまた、第１抽選手段３３での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、この変動パターンコマンドを出力する。
【００５１】
遊技制御手段３５は、予め設定された演出データや第２抽選手段３４での抽選結果に応じて、図柄表示装置４７に表示すべき演出内容に関する信号を、制御コマンドと共にサブ基板４２の表示制御手段４４に送信する。
【００５２】
保留手段３６は、第２抽選手段３４から出力された変動パターンコマンドを入力し、始動チャッカー１６への入賞の都度に行われた抽選の結果となる保留球として順次記憶する。当該記憶状況は、図柄表示装置４７に備えた保留球表示部（図示せず）に、例えば最大４個の保留球として点灯表示される。保留手段３６は、例えば保留球数Ｈが０＜Ｈ＜５であるか否かを常時判定し、保留球数Ｈが４個表示されている間は、始動チャッカー１６への入賞に拘わらず大当たり抽選は行わない。なお、保留球として点灯表示される保留球数は上記「最大４個」に限らず、例えば３個以下、又は５個以上として適宜設定することも可能である。
【００５３】
そして保留手段３６は、保留（記憶）している変動パターンコマンドを順次表示制御手段４４に送信し、この送信した変動パターンコマンドに基づく演出表示が終了するまでは次の変動パターンコマンドを送信しないようにするための図柄変動禁止フラグを立てる（オンする）と共に、当該オンした図柄変動禁止フラグを解除する時間を計測するための図柄変動タイマ（図示せず）をセットし、変動パターンコマンドの送信に応じて保留球数を１デクリメントする。また保留手段３６は、保留球の消費に応じて保留球数ＨがＨ＜４となった場合、第１抽選手段３３で行われる始動チャッカー１６への入賞に応答した大当たり抽選の結果を保留球として記憶し、保留球数を１インクリメントする。
【００５４】
作動制御手段３７は、作動決定手段３９の作動開始決定の旨の信号に基づき、始動チャッカー開閉ソレノイド４５に駆動信号を送って該ソレノイド４５を作動させて始動チャッカー１６を開放又は閉塞動作させる。更に作動制御手段３７は、アタッカー開閉ソレノイド４１に駆動信号を送って該ソレノイド４１を作動させ、第１抽選手段３３での抽選による大当たり発生時にアタッカー１７を開放して所定数入賞が終了する（又は所定時間が経過する）毎に閉塞する動作を所定回数（所定ラウンド）だけ繰り返すように制御する。
【００５５】
作動判定手段３８は、始動チャッカー開閉ソレノイド４５及びアタッカー開閉ソレノイド４１を作動させるための条件を満たすか否かを判定する。つまり、始動チャッカー開閉ソレノイド４５にあって、始動チャッカー１６の開閉の「条件を満たす」時とは、主基板３０において第１抽選手段３３の大当たり抽選とは別途行われる抽選で当選した場合である。アタッカー開閉ソレノイド４１にあって、アタッカー１７の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー１７の閉塞の「条件を満たす」時とは、大当たり発生時における全ての入賞を完了した場合である。
【００５６】
作動決定手段３９は、作動判定手段３８からの判定信号を受けて、始動チャッカー開閉ソレノイド４５、アタッカー開閉ソレノイド４１の作動開始をそれぞれに決定する。
【００５７】
ソレノイド制御手段４０は、図４に状態において放出規制弁５５の延設部５５ｃが設置部６０側から僅かでも離反し当該離反に伴う検知信号を接触検知センサ６１から受信したとき、係止解除ソレノイド６５に駆動信号を送信して、図５に示すようにプランジャ６６を退避させて延設部５５ｃを解放するように制御する。また、ソレノイド制御手段４０は、係止解除ソレノイド６５に駆動信号を出力して作動制御した後、接触検知センサ６１が延設部５５ｃの接触を再び検知した時点で駆動信号をオフしてプランジャ６６を突出させ、図４に示すように設置部６０上の延設部５５ｃを係止するように制御する。同時に、ソレノイド制御手段４０は、放出規制弁５５の解放に先立って不図示のソレノイドを駆動して蓋体５３を閉塞させ、更に、延設部５５ｃの接触が再び検知された時点で蓋体５３を再び開放させるべく不図示のソレノイドに駆動信号を送信する。
【００５８】
蓋体検知センサ５８は、蓋体５３が閉塞位置（図１１参照）にあるときその旨の検知信号を主基板３０に出力する。
【００５９】
接触検知センサ６１は、延設部５５ｃが設置部６０側に回動して接触していることを検知しその検知信号をソレノイド制御手段４０に出力する。
【００６０】
係止解除ソレノイド６５は、ソレノイド制御手段４０から送信された駆動信号に応答してプランジャ６６を退避（後退）動作又は突出（前進）動作させて、放出規制弁５５を解放又は係止する。
【００６１】
始動チャッカー開閉ソレノイド４５は、作動制御手段３７から送信された駆動信号に応答してプランジャ（図示せず）を進退動作させて、始動チャッカー１６を開閉動作させる。
【００６２】
アタッカー開閉ソレノイド４１は、作動制御手段３７から送信された駆動信号に応答してプランジャ（図示せず）を進退動作させて、アタッカー１７を開閉動作させる。
【００６３】
一方、サブ基板４２は、演出制御手段４３及び表示制御手段４４を有しており、サブ基板４２には、放音装置１１、演出用照明装置１０及び図柄表示装置４７が接続されている。
【００６４】
演出制御手段４３は、主基板３０中の上記マイクロプロセッサから供給される信号に従って、放音装置１１、演出用照明装置１０を適時駆動して、遊技者の視覚及び聴覚に訴える演出表示を行う。
【００６５】
表示制御手段４４は、遊技制御手段３５から送信された演出内容に関する信号に従って図柄表示装置４７を適時駆動し、大当たり抽選の結果等を遊技者の視覚に訴えるように演出表示する。
【００６６】
放音装置１１、演出用照明装置１０及び図柄表示装置４７は、上述したように各制御に応答して音、光等の発生により、通常時の演出や大当たり時における特別な演出等を行う。
【００６７】
次に、本パチンコ機１による作用について、図７のフローチャートを併せて参照しつつ説明する。
【００６８】
すなわち、本パチンコ機１に対面して着座した遊技者が発射ハンドル９を握り、適宜の角度に回動操作すると（ステップＳ１）、発射装置（図示せず）の作動によって遊技球が所定の時間間隔で遊技領域４に向けて連続的に発射される。すると、遊技盤７の遊技領域７ａに打ち出されて転動落下する多数の遊技球は、始動チャッカー１６や入賞口２７，２８，２９に適時入賞し、或いは、これらに寄与せずに転動落下して、遊技領域７ａ最下部のアウト口２２から遊技盤７背面側に排出される。
【００６９】
そして、始動チャッカー１６や入賞口２７〜２９の何れかに入賞した場合、入賞判定手段３１が当該入賞を判定し、且つ入賞信号出力手段３２が入賞信号を出力する（ステップＳ２）。この際、保留手段３６は、保留球Ｈが０＜Ｈ＜５であるか否かを常時判定しており、０＜Ｈ＜５を満たすと判定したときには、保留している変動パターンコマンドを、遊技制御手段３５を介して表示制御手段４４に順次送信し、図柄変動禁止フラグをオンすると共に、図柄変動タイマをセットし、変動パターンコマンドの送信に応じて保留球数を１デクリメントする。また保留手段３６は、当該保留球の消費に応じて保留球数ＨがＨ＜４となった場合、第１抽選手段３３で行われる始動入賞口２６ａ又は２６ｂへの入賞に応じた大当たり抽選の結果を保留球として記憶し、保留球数を１インクリメントする
【００７０】
そして、大当たり抽選で当選した場合（ステップＳ３）、第１抽選手段３３が当たりフラグをオンすると、第２抽選手段３４が、演出用メモリに格納された演出乱数値に基づく抽選で、大当たりの種別、つまり確変当たり又は通常当たりに対応する変動パターンを決定する。
【００７１】
これにより、ステップＳ４において、図柄表示装置４７に表示されるべき当たり図柄がセットされ、第２抽選手段３４は、その旨の変動パターンコマンドを出力すると共に、当該変動パターンコマンドに基づく演出表示が終了するまでは次の変動パターンコマンドを送信しないようにするために図柄変動禁止フラグをオンし、当該オンした図柄変動禁止フラグを解除する時間を計測するための図柄変動タイマをセットし、変動パターンコマンドの送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、図柄表示装置４７に表示される外れ図柄がセットされ、第２抽選手段３４は、その旨の変動パターンコマンドを出力すると共に、図柄変動禁止フラグをオンし、図柄変動タイマをセットし、変動パターンコマンドの送信に応じて保留球数を１デクリメントする。
【００７２】
以上のようにして、遊技制御手段３５が、図柄表示装置４７に表示すべき演出内容に関する信号を制御コマンドと共にサブ基板４２の表示制御手段４４に送信することに基づき、表示制御手段４４が、図柄表示装置４７を適時駆動し、大当たり抽選結果に関する内容等を、遊技者の視覚に訴えるように演出表示することとなる（ステップＳ５）。
【００７３】
そして、第１抽選手段３３での抽選結果が図柄表示装置４７の画面上に表れると、作動制御手段３７が、作動決定手段３９の作動開始決定の旨の信号に基づき、所定のタイミングでアタッカー開閉ソレノイド４１に駆動信号を送り、当該ソレノイド４１を作動させてアタッカー１７を開放し、所定数入賞が終了する（又は所定時間が経過する）毎に閉塞する動作を所定回数（所定ラウンド）だけ繰り返させる。これにより、アタッカー１７に入賞した遊技球に対応する多量の遊技球が球供給口１８から上皿１３に払い出されることとなる（ステップＳ６）。
【００７４】
上述した一連の遊技中、係止解除ソレノイド６５の作動で放出規制弁５５が閉塞状態に係止され、且つ不図示のソレノイドの作動で蓋体５３が開放された状態において、不図示の障害釘の間を転動しつつ開口部５７に到達した遊技球Ｂａが該開口部５７に進入すると、保留装置２５の保留部５０に遊技球Ｂａが順次溜まっていく。そして、５個目が溜まった時点で、重り６４による延設部５５ｃの抑制力が当該５個の総重量に打ち負けて、延設部５５ｃが図４の反時計回り方向に回動して接触検知センサ６１から離反しようとする。しかしこの際、延設部５５ｃが、プランジャ６６の先端部で重り６４を係止されるので、延設部５５ｃ背面が接触検知センサ６１から僅かに離間した状態で、図４に示すように保持される。
【００７５】
この状態において、接触検知センサ６１が延設部５５ｃの離反を検知し、その検知信号をソレノイド制御手段４０に出力するので、ソレノイド制御手段４０から係止解除ソレノイド６５に駆動信号が出力されて、係止解除ソレノイド６５がプランジャ６６を退避させるように作動する。これにより、プランジャ６６が延設部５５ｃを解放するので、放出規制弁５５が図５の反時計回り方向に回動し、保留部５０に保留されていた５個の遊技球Ｂａが全て一斉に自重落下し、障害釘５６間の空隙５６ａを通って入賞口４８に入賞する。同時に、ソレノイド制御手段４０は、放出規制弁５５の開放に先立って不図示のソレノイドを駆動して蓋体５３を閉塞させる。またこの際、場合によっては、落下する遊技球Ｂａの一部が障害釘５６に接触し弾かれて、入賞し得ないこともあり得る。
【００７６】
そして、保留部５０内の５個の保留遊技球Ｂａを全て放出した時点で放出規制弁５５は解放されて、重り６４による回転モーメントの作用で図５の時計回り方向に回動し、延設部５５ｃの背面を設置部６０側に接触させる。これにより、接触検知センサ６１が延設部５５ｃの接触を検知しその検知信号をソレノイド制御手段４０に出力するので、該ソレノイド制御手段４０ｂの制御により係止解除ソレノイド６５がプランジャ６６を突出させて重り６４を介して延設部５５ｃを係止する。ソレノイド制御手段４０は、延設部５５ｃの接触が再び検知された時点で蓋体５３を再び開放させるべく、不図示のソレノイドに駆動信号を送信する。これにより、保留装置２５は、遊技領域７ａに打ち出された遊技球Ｂａを再び受け入れ得る状態となる。
【００７７】
なお、本実施形態では、ソレノイド制御手段４０、放出規制弁５５、接触検知センサ６１及び係止解除ソレノイド６５によって本発明の保留制御手段が構成されている。また、ソレノイド制御手段４０、接触検知センサ６１及び係止解除ソレノイド６５によって解放手段が構成されている。
【００７８】
以上説明した本実施形態によると、保留制御手段としてのソレノイド制御手段４０、放出規制弁５５、接触検知センサ６１及び係止解除ソレノイド６５が保留部５０に所定数（本実施形態では５個）の遊技球Ｂａが溜まった時点で遊技球総重量に準じて放出口５０ｂを開放させる。これにより、遊技中、保留部５０に所定数の遊技球Ｂａが溜まった時点でこれら遊技球Ｂａの総重量に準じて保留を自動的に解除して、保留球を入賞口４８に向け一斉に放出して入賞させ、所定数分に対応する賞球を、爽快感をもって一気に得ることができる。
【００７９】
また、本実施形態によると、放出口５０ｂを開放又は閉止する放出規制弁５５と、保留部５０に所定数の遊技球Ｂａが溜まった際の遊技球総重量に準じて放出規制弁５５を解放し得る解放手段としてのソレノイド制御手段４０、接触検知センサ６１及び係止解除ソレノイド６５とを備えている。これにより、保留部５０内に所定数の遊技球Ｂａが溜まった時点で自動的に全保留球を入賞口４８に対して一斉に入賞させる機能を、簡単な構成によって得ることができる。更に本実施形態によると、解放手段が、接触検知センサ６１にて延設部５５ｃの微動を検知した時点で該延設部５５ｃの係止を解除する係止解除手段としてのソレノイド制御手段４０及び係止解除ソレノイド６５を備えるので、保留部５０内に所定数の遊技球Ｂａが溜まった時点で、自動的に且つ確実に全保留球を入賞口４８に対して一斉に入賞させる機能を、簡単な構成によって得ることができる。
【００８０】
更に、保留部５０が、遊技盤７の表面から裏面側に後退した状態で配置され、且つ内部に保留した遊技球Ｂａを視認可能に透過する透明部材からなり、更に、保留部５０の前側に、該保留部５０を視認可能に透過する透明板４６が配置されているので、遊技中、遊技者は透明板４６を通して、内部を透過させている保留部５０内の遊技球Ｂａを視認しつつ、或るタイミングで一斉に放出されて入賞する遊技球Ｂａを見ながら爽快感を得ることができる。これにより、遊技上の興趣が大幅に向上することとなる。
【００８１】
＜第２実施形態＞
次に、本発明に係る第２実施形態を図８及び図９に沿って説明するが、図１ないし図７に示した先の実施形態に比し、ソレノイド制御手段４０、接触検知センサ６１及び係止解除ソレノイド６５からなる解放手段を有さず、これに代えて電磁石６３を解放手段として有する点が異なるだけで、他の部分は略々同一なので、主要部分に同一符号を付して説明を省略する。
【００８２】
すなわち、本第２実施形態では、放出規制弁５５の延設部５５ｃが磁性体から構成され、また、当該磁性体からなる延設部５５ｃを吸着保持する永久磁石６３が解放手段として設けられている。この永久磁石６３は、規制部５５ｂで支える遊技球総重量が所定数分（例えば５個分）に至るまで規制部５５ｂを保持し得る磁力を有している。
【００８３】
なお、本実施形態では、永久磁石６３を採用した例を挙げるが、これに限らず、同等の磁力を備える電磁石を採用しても良いことは言うまでもない。また、本実施形態では、放出規制弁５５及び永久磁石６３によって本発明の保留制御手段が構成される。
【００８４】
以上の本第２実施形態によると、規制部５５ｂで支える遊技球総重量が所定数分に至るまで規制部５５ｂを保持し得る永久磁石６３を備えることにより、保留部５０内に所定数の遊技球Ｂａが溜まった時点で、自動的に且つ確実に全保留球を入賞口４８に対して一斉に入賞させる機能を、簡単な構成によって得ることができる。
【００８５】
＜第３実施形態＞
次に、本発明に係る第３実施形態を図１０及び図１１に沿って説明するが、図１ないし図７に示した先の実施形態に比し、ソレノイド制御手段４０、接触検知センサ６１及び係止解除ソレノイド６５からなる解放手段を有さず、これに代えて引張りバネ（弾性保持部材）ＳＰを解放手段として有する点が異なるだけで、他の部分は略々同一なので、主要部分に同一符号を付して説明を省略する。
【００８６】
すなわち、本第３実施形態では、規制部５５ｂで支える遊技球総重量が所定数分（例えば５個分）に至った時点での延設部５５ｃの回動力（移動力）に打ち負けて延設部５５ｃの回動を許容し保留部５０の放出口５０ｂを開放する引張りバネＳＰが解放手段として設けられている。この引張りバネＳＰは、規制部５５ｂで支える遊技球総重量が所定数分（例えば５個分）に至るまで規制部５５ｂを保持し得る引張り力を有している。
【００８７】
なお、本実施形態では、引張りバネＳＰを採用した例を挙げるが、これに限らず、同等の引張り力を備えるゴム材を採用しても良いことは言うまでもない。また、本実施形態では、放出規制弁５５及び引張りバネＳＰによって本発明の保留制御手段が構成される。
【００８８】
以上の本第３実施形態によると、規制部５５ｂで支える遊技球総重量が所定数分に至った時点での延設部５５ｃの回動力（移動力）に打ち負けて当該延設部５５ｃの移動を許容し保留部５０の放出口５０ｂを開放する引張りバネＳＰを備えることにより、保留部５０内に所定数の遊技球Ｂａが溜まった時点で、自動的に且つ確実に全保留球を入賞口４８に対して一斉に入賞させる機能を、簡単な構成によって得ることができる。
【００８９】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９０】
【図１】本発明に係るパチンコ機の外部構造を示す正面図である。
【図２】本発明に係るパチンコ機から遊技盤を単体で分離した状態で示す正面図である。
【図３】遊技盤に備えた保留装置を拡大して示す正面図である。
【図４】本発明の第１実施形態において遊技盤に埋め込まれた形の保留装置を示す側面断面図である。
【図５】遊技球放出状態の保留装置を示す側面断面図である。
【図６】パチンコ機の制御系を示すブロック図である。
【図７】パチンコ機による作動を説明するためのフローチャートである。
【図８】本発明の第２実施形態において遊技盤に埋め込まれた形の保留装置を示す側面断面図である。
【図９】第２実施形態における遊技球放出状態の保留装置を示す側面断面図である。
【図１０】本発明の第３実施形態において遊技盤に埋め込まれた形の保留装置を示す側面断面図である。
【図１１】第３実施形態における遊技球放出状態の保留装置を示す側面断面図である。
【符号の説明】
【００９１】
１：パチンコ機（遊技機）
７：遊技盤
１６：始動チャッカー（始動入賞口）
２５：保留装置
４０：ソレノイド制御手段（保留制御手段、解放手段、係止解除手段）
４６：透明板
４７：図柄表示装置
４８：入賞口
５０：保留部
５０ｂ：放出口
５５：放出規制弁（保留制御手段、放出規制部材）
５５ｂ：規制部
５５ｃ：延設部
６１：接触検知センサ（保留制御手段、解放手段、係止解除手段、検知センサ）
６３：永久磁石，電磁石（保留制御手段、解放手段、磁石）
６４：重り
６５：係止解除ソレノイド（保留制御手段、解放手段、係止解除手段）
Ｂａ：遊技球
ＳＰ：引張りバネ（保留制御手段、解放手段、弾性保持部材）
【図１】
2006187463.tif 000003
【図２】
2006187463.tif 000004
【図３】
2006187463.tif 000005
【図４】
2006187463.tif 000006
【図５】
2006187463.tif 000007
【図６】
2006187463.tif 000008
【図７】
2006187463.tif 000009
【図８】
2006187463.tif 000010
【図９】
2006187463.tif 000011
【図１０】
2006187463.tif 000012
【図１１】
2006187463.tif 000013